(57)【要約】【課題】装着感を損なわずにフィット性が向上できる吸収性物品を提供する。【解決手段】裏面シート２の肌側に、幅方向に複数に分割された吸収体４の少なくとも肌側が透液性表面シート３で覆われた分割吸収材５が、長手方向に沿って幅方向に複数配設された生理用ナプキン１である。分割吸収材５は、ナプキン幅方向中央部に配設される中央分割吸収材６と、その幅方向両側にそれぞれ配設される両側分割吸収材７と、中央分割吸収材６と両側分割吸収材７とに跨って、それぞれに重なり代１０を有しながら、裏面シート２側の面に配設される中間分割吸収材８とからなり、分割吸収材５は、ナプキン周縁部に沿った全周が、全周シール部１１にて裏面シート２に接合されるとともに、両側分割吸収材７と中間分割吸収材８との重なり代１０部分が、ナプキン長手方向に間隔をあけた部分シール部１２にて裏面シート２に接合されている。【選択図】図１
2014188131.tif 000002
【特許請求の範囲】
【請求項１】
裏面シートの肌側に、幅方向に複数に分割された吸収体と前記吸収体の少なくとも肌側を覆う透液性表面シートとからなる分割吸収材が、長手方向に沿って幅方向に複数配設された吸収性物品であって、
前記分割吸収材は、吸収性物品の幅方向中央部に配設される中央分割吸収材と、前記中央分割吸収材の幅方向両側にそれぞれ配設されるとともに、吸収性物品の側縁部に沿ってそれぞれ配設される両側分割吸収材と、前記中央分割吸収材と両側分割吸収材とに跨って、前記中央分割吸収材及び両側分割吸収材とそれぞれ重なり代を有しながら、前記重なり代部分において前記中央分割吸収材及び両側分割吸収材の前記裏面シート側の面に配設される中間分割吸収材とからなり、
前記分割吸収材は、吸収性物品の周縁部に沿った全周が、全周シール部にて前記裏面シートに接合されるとともに、前記両側分割吸収材と中間分割吸収材との前記重なり代部分が、吸収性物品の長手方向に間隔をあけた部分シール部にて前記裏面シートに接合されていることを特徴とする吸収性物品。
【請求項２】
前記透液性表面シートは、各吸収体をそれぞれ個別的に覆っている請求項１記載の吸収性物品。
【請求項３】
前記透液性表面シートは、各吸収体間に幅方向の余裕代を有しながら吸収性物品の幅方向に連続的に設けられている請求項１記載の吸収性物品。
【請求項４】
前記中間分割吸収材が前記重なり代部分において前記中央分割吸収材及び両側分割吸収材の前記裏面シート側の面に配設される構成に代えて、
前記中間分割吸収材は、吸収性物品の幅方向内側が前記中央分割吸収材の前記裏面シート側の面に配設されるとともに、吸収性物品の幅方向外側が前記両側分割吸収材の肌側の面に配設されている請求項１〜３いずれかに記載の吸収性物品。
【請求項５】
前記全周シール部及び部分シール部以外では前記分割吸収材が裏面シートに接合されていない請求項１〜４いずれかに記載の吸収性物品。
【請求項６】
前記分割吸収材の幅は２０ｍｍ以下に設定されている請求項１〜５いずれかに記載の吸収性物品。
【請求項７】
前記重なり代の幅は２〜１０ｍｍに設定されている請求項１〜６いずれかに記載の吸収性物品。
【請求項８】
前記部分シール部は、吸収性物品の前側及び後側にそれぞれ左右一組ずつ設けられている請求項１〜７いずれかに記載の吸収性物品。
【発明の詳細な説明】
【技術分野】
【０００１】
本発明は、経血やおりものなどを吸収するための生理用ナプキン、パンティライナー、失禁パッド等の吸収性物品に係り、肌側に隆起するように立体的に変形する吸収体を備えた吸収性物品に関する。
【背景技術】
【０００２】
従来より、生理用ナプキン、パンティライナー、失禁パッドなどの吸収性物品として、ポリエチレンシートまたはポリエチレンシートラミネート不織布などの不透液性裏面シートと、不織布または透液性プラスチックシートなどの透液性表面シートとの間に綿状パルプ等からなる吸収体を介在したものが知られている。
【０００３】
この種の吸収性物品にも幾多の改良が重ねられ、フィット性を向上させるなどのための手段が種々講じられている。例えば、下記特許文献１においては、表面層の肌当接面側に、表面層から裏面層に向かって該表面層と吸収層とが圧縮されて前記表面層と前記吸収層とが一体化されてなる圧縮部位と、前記圧縮部位からなるか、または前記圧縮がなされていない非圧縮部位および前記圧縮部位の組み合わせからなる圧縮模様部位とを備え、前記圧縮模様部位は、線状の溝の模様からなる線状模様部位と、二次元的な模様からなる面状模様部位とを含み、前記線状模様部位と前記面状模様部位とは、該線状模様部位を該面状模様部位が分断する形態で、吸収性物品の長手方向に、該線状模様部位と該面状模様部位とが交互に連続して配置されている吸収性物品が開示されている。
【０００４】
また、下記特許文献２においては、吸収体として、積層された少なくとも２枚のシート状吸収体を有し、２枚のシート状吸収体それぞれが、吸収体の長手方向の両側部に位置する部分にそれぞれに、複数本の切れ込みを有している吸収性物品が開示されている。
【先行技術文献】
【特許文献】
【０００５】
【特許文献１】特開２００４−１８１１０７号公報
【特許文献２】特開２００９−２１９７０６号公報
【発明の概要】
【発明が解決しようとする課題】
【０００６】
近年では、比較的嵩のある吸収性物品の場合には、装着感が悪い、持ち運びに不便である、または収納性が悪いなどの問題があるとともに、物流の効率化や省資源化などの要請から、体液排出部位における吸収体の厚みを薄くした薄型吸収性物品が好まれる傾向にある。
【０００７】
しかしながら、上記特許文献１記載の吸収性物品では、表面層と吸収層に所定の圧縮模様部位を設けることによって吸収性物品の折れ方をコントロールしてフィット性を向上させているが、上述のような薄型の吸収体を使用した場合には圧縮部を設けることが難しく、圧縮部と非圧縮部との剛性の差が出にくいため十分な効果が発揮できない。また、上記特許文献２記載の吸収性物品では、吸収体が少なくとも２枚のシート状吸収体を積層することによって構成されているため、吸収性物品が厚くなり、装着感が悪いなどの問題が生じる。
【０００８】
そこで本発明の主たる課題は、装着感を損なわずにフィット性が向上できる吸収性物品を提供することにある。
【課題を解決するための手段】
【０００９】
上記課題を解決するために請求項１に係る本発明として、裏面シートの肌側に、幅方向に複数に分割された吸収体と前記吸収体の少なくとも肌側を覆う透液性表面シートとからなる分割吸収材が、長手方向に沿って幅方向に複数配設された吸収性物品であって、
前記分割吸収材は、吸収性物品の幅方向中央部に配設される中央分割吸収材と、前記中央分割吸収材の幅方向両側にそれぞれ配設されるとともに、吸収性物品の側縁部に沿ってそれぞれ配設される両側分割吸収材と、前記中央分割吸収材と両側分割吸収材とに跨って、前記中央分割吸収材及び両側分割吸収材とそれぞれ重なり代を有しながら、前記重なり代部分において前記中央分割吸収材及び両側分割吸収材の前記裏面シート側の面に配設される中間分割吸収材とからなり、
前記分割吸収材は、吸収性物品の周縁部に沿った全周が、全周シール部にて前記裏面シートに接合されるとともに、前記両側分割吸収材と中間分割吸収材との前記重なり代部分が、吸収性物品の長手方向に間隔をあけた部分シール部にて前記裏面シートに接合されていることを特徴とする吸収性物品が提供される。
【００１０】
上記請求項１記載の発明では、裏面シートの肌側に、吸収性物品の幅方向に複数に分割された吸収体と前記吸収体の少なくとも肌側を覆う透液性表面シートとからなる分割吸収材が、長手方向に沿って幅方向に複数配設された吸収性物品である。この分割吸収材は、吸収性物品の幅方向中央部に配設される中央分割吸収材と、前記中央分割吸収材の幅方向両側にそれぞれ配設されるとともに、吸収性物品の側縁部に沿ってそれぞれ配設される両側分割吸収材と、前記中央分割吸収材と両側分割吸収材とに跨って、前記中央分割吸収材及び両側分割吸収材とそれぞれ重なり代を有しながら、前記重なり代部分において前記中央分割吸収材及び両側分割吸収材の前記裏面シート側の面に配設される中間分割吸収材とから構成されている。また、前記分割吸収材は、吸収性物品の周縁部に沿った全周が、全周シール部にて前記裏面シートに接合されるとともに、前記両側分割吸収材と中間分割吸収材との前記重なり代部分が、吸収性物品の長手方向に間隔をあけた部分シール部にて前記裏面シートに接合されている。
【００１１】
このため、装着時に両側からの脚圧によって、各分割吸収材が身体の形状に沿って個々に変形できるようになる。具体的には、中央分割吸収材は、長手方向両端部の全周シール部でのみ裏面シート側に接合されているため、両側からの脚圧によって吸収性物品の幅方向中央部が肌側に凸となるように湾曲したとき、肌側に隆起しやすい構造となっている。さらに、両側分割吸収材及び中間分割吸収材は、両側からの脚圧を受けて内側に変形する際、中間分割吸収材の幅方向内側の縁部で中央分割吸収材を下側から押し上げて中央分割吸収材の肌側への隆起を補助する役割を果たす。すなわち、両側分割吸収材と中間分割吸収材とは前記部分シール部にて接合されているため、各分割吸収材のヨレを抑制しながら、両側分割吸収材に加えられた両側からの脚圧が適度に中間分割吸収材に伝わり、上述の中間分割吸収材の内側縁部によって中央分割吸収材を下側から押し上げる効果が発揮される。このため、中央分割吸収材が身体の狭い溝や凹凸にも密着し、装着感を損なわずにフィット性が向上できるようになる。
【００１２】
請求項２に係る本発明として、前記透液性表面シートは、各吸収体をそれぞれ個別的に覆っている請求項１記載の吸収性物品が提供される。
【００１３】
上記請求項２記載の発明は、本吸収性物品の第１形態例である。本形態では、幅方向に複数に分割された各吸収体がそれぞれ個別的に透液性表面シートによって覆われているため、各分割吸収材が独立的に変形できるようになる。
【００１４】
請求項３に係る本発明として、前記透液性表面シートは、各吸収体間に幅方向の余裕代を有しながら吸収性物品の幅方向に連続的に設けられている請求項１記載の吸収性物品が提供される。
【００１５】
上記請求項３記載の発明は、本吸収性物品の第２形態例である。本形態では、前記分割吸収材として、各吸収体を覆う前記透液性表面シートが、各吸収体間に幅方向の余裕代を有しながら幅方向に連続的に設けられているため、各分割吸収材の変形を妨げることなく、各分割吸収材の間に隙間が生じるのが防止できる。
【００１６】
請求項４に係る本発明として、前記中間分割吸収材が前記中央分割吸収材及び両側分割吸収材の前記裏面シート側の面に配設される構成に代えて、
前記中間分割吸収材は、吸収性物品の幅方向内側が前記中央分割吸収材の前記裏面シート側の面に配設されるとともに、吸収性物品の幅方向外側が前記両側分割吸収材の肌側の面に配設されている請求項１〜３いずれかに記載の吸収性物品が提供される。
【００１７】
上記請求項４記載の発明は、本吸収性物品の第３形態例であり、中央分割吸収材と両側分割吸収材とに跨って配設される中間分割吸収材の配置順序を違えたものである。具体的には、吸収性物品の幅方向内側が前記中央分割吸収材の前記裏面シート側の面に配設されるとともに、吸収性物品の幅方向外側が前記両側分割吸収材の肌側の面に配設されている。これによって、装着時に両側からの脚圧を受けたとき、両側分割吸収材の幅方向内側の縁部で中間分割吸収材を下側から押し上げるため、中間分割吸収材が中央分割吸収材を下側から押し上げる効果をより一層高めることができるようになる。
【００１８】
請求項５に係る本発明として、前記全周シール部及び部分シール部以外では前記分割吸収材が裏面シートに接合されていない請求項１〜４いずれかに記載の吸収性物品が提供される。
【００１９】
上記請求項５記載の発明では、前記分割吸収材が全周シール部及び部分シール部のみで裏面シートに接合され、それ以外では接合されないことによって、中央分割吸収材の肌側に隆起しやすくするとともに、脚圧による両側分割吸収材及び中間分割吸収材のヨレを防止している。
【００２０】
請求項６に係る本発明として、前記分割吸収材の幅は２０ｍｍ以下に設定されている請求項１〜５いずれかに記載の吸収性物品が提供される。
【００２１】
上記請求項６記載の発明では、分割吸収材の幅を２０ｍｍ以下に設定することにより、身体の曲線に追従しやすくしている。
【００２２】
請求項７に係る本発明として、前記重なり代の幅は２〜１０ｍｍに設定されている請求項１〜６いずれかに記載の吸収性物品が提供される。
【００２３】
上記請求項７記載の発明では、重なり代の幅を２〜１０ｍｍに設定することにより、吸収性物品自体の厚みを低く抑えるとともに、分割吸収材が隆起したときに隙間が生じにくくしている。
【００２４】
請求項８に係る本発明として、前記部分シール部は、吸収性物品の前側及び後側にそれぞれ左右一組ずつ設けられている請求項１〜７いずれかに記載の吸収性物品が提供される。
【００２５】
上記請求項８記載の発明では、部分シール部の位置を規定することによって、各分割吸収材の独立的な動きを阻害しないとともに、脚圧によるヨレが効果的に防止できるようになる。
【発明の効果】
【００２６】
以上詳説のとおり本発明によれば、装着感を損なわずにフィット性が向上できるようになる。
【図面の簡単な説明】
【００２７】
【図１】本発明に係る生理用ナプキン１の一部破断展開図である。
【図２】そのII−II線矢視図である。
【図３】図１のIII−III線矢視図である。
【図４】装着状態を示す断面図である。
【図５】第２形態例に係る生理用ナプキン１Ａを示す横断面図（図１のII−II線矢視図）である。
【図６】第３形態例に係る生理用ナプキン１Ｂを示す横断面図（図１のII−II線矢視図）である。
【発明を実施するための形態】
【００２８】
以下、本発明の実施の形態について図面を参照しながら詳述する。
【００２９】
〔第１形態例〕
本発明に係る生理用ナプキン１は、ポリエチレンシート、ポリプロピレンシートなどからなる不透液性裏面シート２と、前記不透液性裏面シート２の肌側に長手方向に沿って幅方向に複数配設された分割吸収材５、５…とから構成されている。前記分割吸収材５は、幅方向に複数に分割された綿状パルプまたは合成パルプなどからなる吸収体４と、前記吸収体４の少なくとも肌側を覆う経血やおりものなどを速やかに透過させる透液性表面シート３とから構成されている。
【００３０】
以下、さらに前記生理用ナプキン１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００３１】
前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。目付としては、１５〜４５ｇ／ｍ２、好ましくは２５〜３５ｇ／ｍ２とするのがよい。
【００３２】
前記吸収体４は、たとえばパルプ中に高吸水性樹脂を混入したもの、或いはパルプ中に化学繊維を混入させるとともに、高吸水性ポリマーを混入したものが使用される。前記吸収体４は、形状保持、および経血等を速やかに拡散させるとともに、一旦吸収した経血等の逆戻りを防止するためにクレープ紙（図示せず）によって囲繞することも可能である。
【００３３】
前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００３４】
前記吸収体４は、エアレイド法により作製されたものや不織布に高吸水性樹脂（ＳＡＰ）を塗布したＳＡＰシートなど、シート状の吸収体を使用することが好ましい。吸収体４の目付は、５０〜１８０ｇ／ｍ２、好ましくは７０〜９０ｇ／ｍ２とするのがよい。また、吸収体４の厚みは、０．５ｍｍ〜１．５ｍｍ、好ましくは０．５〜０．８ｍｍとするのがよい。
【００３５】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００３６】
前記分割吸収材５は、図１〜図３に示されるように、所定幅で形成された吸収体４と、少なくとも前記吸収体４の肌側を覆う透液性表面シート３とから構成されている。この分割吸収材５は、生理用ナプキン１の全長に亘って幅方向に複数、図示例では５つ配設されている。本第１形態例に係る分割吸収材５では、各吸収体４がそれぞれ個別的に透液性表面シート３によって覆われている。
【００３７】
前記分割吸収材５は、ナプキン１の幅方向中央部に配設される中央分割吸収材６と、この中央分割吸収材６の幅方向両側にそれぞれ配設されるとともに、ナプキン１の側縁部に沿ってそれぞれ配設される両側分割吸収材７、７と、前記中央分割吸収材６と両側分割吸収材７とに跨って、前記離隔部９を埋めるように、前記中央分割吸収材６及び両側分割吸収材７とそれぞれ重なり代１０、１０を有しながら、前記重なり代１０部分において前記中央分割吸収材６及び両側分割吸収材７の不透液性裏面シート２側（非肌側）の面に配設される中間分割吸収材８、８とから構成されている。
【００３８】
前記分割吸収材５は、ナプキン１の周縁部に沿った全周が、全周シール部１１にて不透液性裏面シート２に接合されるとともに、前記両側分割吸収材７と中間分割吸収材８との前記重なり代１０部分が、ナプキン１の長手方向に間隔をあけた部分シール部１２、１２にて不透液性裏面シート２に接合されている。したがって、中央分割吸収材６は、長手方向両端部の前記全周シール部１１でのみ不透液性裏面シート２に接合されている。両側分割吸収材７は、長手方向両端部及びナプキン幅方向外側の側部が全周シール部１１で不透液性裏面シート２に接合されるとともに、ナプキン幅方向内側の側部がナプキン長手方向に間隔をあけた部分シール部１２で不透液性裏面シート２に接合されている。中間分割吸収材８は、長手方向両端部が全周シール部１１で不透液性裏面シート２に接合されるとともに、ナプキン幅方向外側の側部がナプキン長手方向に間隔をあけた部分シール部１２で不透液性裏面シート２に接合されている。
【００３９】
このため、装着時に幅方向両側からの脚圧によって、各分割吸収材５、５…が身体の形状に沿って個別的に変形可能となる。具体的には、中央分割吸収材６は、長手方向両端部の全周シール部１１、１１でのみ不透液性裏面シート２に接合されているため、幅方向両側からの脚圧を受けて生理用ナプキン１の幅方向中央部が肌側に凸となるように湾曲したとき、肌側に隆起しやすい構造となっている。さらに、幅方向両側からの脚圧によって両側分割吸収材７及び中間分割吸収材８が内側に押されたとき、中間分割吸収材８の幅方向内側の縁部で中央分割吸収材６を下側から押し上げて、中央分割吸収材６の肌側への隆起を補助するように作用する。すなわち、両側分割吸収材７と中間分割吸収材８とは、前記部分シール部１２にて接合されているため、各分割吸収材７，８のヨレを抑制しながら、両側分割吸収材７に加えられた幅方向両側からの脚圧が適度に中間分割吸収材８に伝わり、上述の中間分割吸収材８の内側縁部によって中央分割吸収材６を下側から押し上げる効果が発揮される。このため、中央分割吸収材６が身体の狭い溝や凹凸にも密着し、装着感を損なわずにフィット性が向上できるようになる。
【００４０】
また、歩行時などのように、生理用ナプキン１にねじれが作用する場合でも、各分割吸収材５が個別的に変形できるため、それぞれ別々の動きをしてねじれ変形を吸収できる構造となっている。このため、身体の形状に沿って密着しやすく、フィット性が維持できるようになる。
【００４１】
さらに、中間分割吸収材８が両側分割吸収材７の裏面シート２側の面に配設されているため、体液が幅方向中央部から外側に向けて流れても、両側分割吸収材７で堰き止められて、両側に漏れ出るのが防止できる。
【００４２】
図１に示されるように、前記生理用ナプキン１の幅Ｌは、ショーツのクロッチ幅に合わせ、脚周りの違和感を感じさせない幅とするため、９０ｍｍ以下が好ましく、４５〜５５ｍｍがより好ましい。
【００４３】
また、分割吸収材５の幅Ｌ１は、２０ｍｍ以下、好ましくは１０〜１５ｍｍに設定するのがよい。これにより、身体の曲線に追従しやすい幅に設定でき、身体とのフィット性が向上できる。また、分割吸収材５が前記全周シール部１１、部分シール部１２の一部だけで裏面シート２に接合されているため、分割吸収材５の幅が狭すぎると、分割吸収材５が個々に変形しすぎてしまい、かえって違和感の原因になる場合がある。なお、前記中央分割吸収材６、両側分割吸収材７及び中間分割吸収材８は、上記の範囲内であればそれぞれ異なる幅で形成してもよいが、全て同じ幅で形成することが望ましい。
【００４４】
前記重なり代１０の幅ａは、２〜１０ｍｍ、好ましくは５〜７ｍｍに設定するのがよい。この範囲では、ナプキン自体の厚みに影響が少なく、違和感をほとんど感じないとともに、この幅で形成すれば前記部分シール部１２を設けることが可能な幅となる。また、分割吸収材５が肌側に隆起しても大きな隙間ができない幅に設定されている。
【００４５】
前記両側分割吸収材７、７は、中央分割吸収材６の幅方向両側に隣接して配設されるようにしてもよいが、図１に示されるように、中央分割吸収材６の幅方向両側にそれぞれ離隔部９を有しながら配設するのが望ましい。離隔部９を設けた方が、中央分割吸収材６と両側分割吸収材７との間に摩擦力が発生しないため、装着時に中央分割吸収材６が肌側に隆起しやすくなる。前記離隔部９の幅は、１５ｍｍ以下、好ましくは２〜１５ｍｍとするのがよい。
【００４６】
前記部分シール部１２の寸法（幅ｃ×長さｄ）としては、接合強度を確保するととともに、装着時の違和感を生じさせない幅で設けるようにする。長さｄは５ｍｍ以下、好ましくは２〜３ｍｍとするのがよい。また、幅ｃは、前記重なり代１０の幅ａと同等もしくはそれ以下に設定されている。
【００４７】
前記全周シール部１１の幅ｅは、接合強度を確保するととともに、装着時の違和感を生じさせない幅で設けるようにし、５ｍｍ以下、好ましくは２〜３ｍｍとするのがよい。
【００４８】
前記分割吸収材５の厚みは、装着時の違和感を生じさせないとともに、体液吸収機能を確保するため、３ｍｍ以下、好ましくは１．２〜１．８ｍｍとするのがよい。
【００４９】
ナプキン両側の外形線は、直線でもよいが、図１に示されるように、幅方向両側からの強い脚圧を受けた場合でも対応できるように、幅方向内側に突出した湾曲線とすることが好ましい。
【００５０】
前記部分シール部１２は、両側分割吸収材７と中間分割吸収材８との重なり代１０部分にのみ設けられ、中央分割吸収材６と中間分割吸収材８との重なり代１０部分には設けられていない。すなわち、中央分割吸収材６は、長手方向両端部の全周シール部１１でのみ不透液性裏面シート２に接合され、長手方向中間部に部分シール部１２が施されていない。仮に、中央分割吸収材６と中間分割吸収材８との重なり代１０部分に設けた場合には、中央分割吸収材６の独立した変形の妨げとなるため、中央分割吸収材６が肌側に隆起して肌面に密着できなくなるおそれがある。
【００５１】
また、前記部分シール部１２は、生理用ナプキン１の前側及び後側にそれぞれ左右一組ずつ設け、長手方向中央領域には配置しないことが好ましい。これによって、長手方向中央領域において両側分割吸収材７及び中間分割吸収材８の独立的な変形が阻害されず、中央分割吸収材６の肌側への隆起を補助するように変形しやすくなるとともに、前側及び後側にそれぞれ配置することによって脚圧によるヨレが効果的に防止できるようになる。図１に示されるように、生理用ナプキン１の前後に配置した部分シール部１２、１２のナプキン長手方向の間隔ｆ（部分シール部１２を配置しないナプキン長手方向の間隔）は、４０〜１００ｍｍ、好ましくは６０〜８０ｍｍとするのがよい。
【００５２】
前記透液性表面シート３は、前記吸収体４の少なくとも肌側面を覆うように設けてあればよいが、図２に示されるように、前記吸収体４の肌側面を覆うとともに、その両側端が吸収体４の側縁を巻き込むようにして折り返され、吸収体４の非肌側面まで延在して設けられるようにすることが好ましい。
【００５３】
特に、前記吸収体４をＳＡＰシートによって構成した場合、両側部からＳＡＰがこぼれ出ないように、上述の通り吸収体４の両側を巻き込むようにして透液性表面シート３を配設するのが望ましい。また、透液性表面シート３を吸収体４の両側まで延在させずに肌側面のみに配置する場合、ＳＡＰは吸収体４の中央部に配置し、周縁部には配置しないことが好ましい。
【００５４】
前記吸収体４は、各分割吸収材５（中央分割吸収材６、両側分割吸収材７、中間分割吸収材８）で同じ仕様のものを用いてもよいが、強い脚圧を受けた場合にも対応可能なように、幅方向外側に配置される分割吸収材５の剛性を高めるため、ナプキン外側に配置されるものほど順次吸収体４の目付を高く設定してもよい。
【００５５】
前記全周シール部１１は、生理用ナプキン１の周縁部に沿って、前記分割吸収材５と不透液性裏面シート２との熱融着による接合を図るため、透液性表面シート３の表面側から全周に亘って設けられるヒートシール部分である。前記全周シール部１１は、生理用ナプキン１の周縁部に沿って連続的又は間欠的に設けられているが、間欠的に設けたときでも、前後の部分シール部１２、１２間の幅方向両側部分においては連続的とする。この前後の部分シール部１２、１２間は、脚圧の影響を最も受けやすい部分であるので、両側部の全周シール部１１を連続的に設けることによって、脚圧を受けたときのヨレが抑制できるようになる。また、ナプキン前後端部の全周シール部１１は、分割吸収材５、５の重なり代１０においては、必ずシール部分が位置するようにし、重なり代１０以外の部分では非シール部が位置してもよい。
【００５６】
本生理用ナプキン１を製造するに際しては、カッター装置によって所定幅に切断した吸収体４に、透液性表面シート３を接合して分割吸収材５を作製した後、不透液性裏面シート２上に前記重なり代１０を設けながら配置し、前記全周シール部１１及び部分シール部１２を施し、しかる後、製品カッターで周縁部を裁断して完成する。
【００５７】
〔第２形態例〕
第２形態例に係る生理用ナプキン１Ａは、図５に示されるように、分割吸収材５として、各吸収体４を覆う透液性表面シート３が、各吸収体４、４間に幅方向の余裕代１３を有しながら幅方向に連続的に設けられる点で、上記第１形態例に係る生理用ナプキン１と異なっている。
【００５８】
前記透液性表面シート３は、前記重なり代１０部分において、肌側に位置する吸収体４の側縁を巻き込むようにして非肌側に折り返されるとともに、非肌側に位置する吸収体４の側縁部分又はその近傍で反対側に折り返され、非肌側の吸収体４の肌側面に接合されている。この重なり代１０において、折り返されて二重に積層された透液性表面シート３、３同士は、前記部分シール部１２を除いて接合されていない。
【００５９】
前記余裕代１３を設けることによって、個々の分割吸収材５の変形が他の分割吸収材５に影響を与えにくくなるので、分割吸収材５、５…が脚圧を受けたときに独立的に変形できるようになる。また、透液性表面シート３をナプキン幅方向に連続的に設けることによって、分割吸収材５、５同士の間に隙間が生じるのが防止できる。
【００６０】
〔第３形態例〕
第３形態例に係る生理用ナプキン１Ｂは、図２に示されるように、第１形態例に係る生理用ナプキン１の中間分割吸収材８が中央分割吸収材６及び両側分割吸収材７の不透液性裏面シート２側の面に配設される構成に代えて、図６に示されるように、中間分割吸収材８は、ナプキン幅方向の内側が中央分割吸収材６の不透液性裏面シート２側の面（非肌側の面）に配設され、ナプキン幅方向の外側が両側分割吸収材７の肌側の面に配設される構成としている。すなわち、幅方向中央から外側に向けて順次、非肌側（不透液性裏面シート２側）に配設されるようにしている。これによって、上記第１形態例に係る生理用ナプキン１のような中間分割吸収材８と両側分割吸収材７との間で両側分割吸収材７の側縁による体液の堰き止め効果が得られなくなるものの、装着時に両側からの脚圧を受けたとき、両側分割吸収材７のナプキン幅方向内側の縁部で中間分割吸収材８を下側から押し上げるため、中間分割吸収材８が中央分割吸収材６を下側から押し上げる効果をより一層高めることができるようになる。
【００６１】
なお、図６では、各吸収体４をそれぞれ個別的に透液性表面シート３で覆っているが、上記第２形態例のように、幅方向に連続する透液性表面シート３で覆うことも可能である。
【００６２】
〔他の形態例〕
上記形態例では、前記両側分割吸収材７及び中間分割吸収材８をそれぞれ左右に１つずつ設けることにより、分割吸収材５が合計５つ設けられるようにしているが、両側分割吸収材７及び／又は中間分割吸収材８を左右に２つ以上ずつ設けることにより、分割吸収材５が合計７つ以上設けられるようにしてもよい。
【符号の説明】
【００６３】
１…生理用ナプキン、２…不透液性裏面シート、３…透液性表面シート、４…吸収体、５…分割吸収材、６…中央分割吸収材、７…両側分割吸収材、８…中間分割吸収材、９…離隔部、１０…重なり代、１１…全周シール部、１２…部分シール部
【図１】
2014188131.tif 000003
【図２】
2014188131.tif 000004
【図３】
2014188131.tif 000005
【図４】
2014188131.tif 000006
【図５】
2014188131.tif 000007
【図６】
2014188131.tif 000008